(57)【特許請求の範囲】
【請求項１】
座本体と、この座本体をその裏面中央部を残して覆う張り地とを具備し、この張り地の周縁部に形成した通し部に、締付紐条を通すとともに、この通し部に設けた挿脱口から締付紐条の両端を引き出して、この締付紐条を緊張させることにより、前記周縁部を狭め、張り地を座本体に取付けるように構成したものであって、
この座本体の、前記挿脱口近傍部位に、締付紐条の各引出部分を互いに近接又は接触させることの可能な拘束部を設けているとともに、
座本体における拘束部から離間した部位に、この拘束部を経て引き出した締付紐条を引掛けることの可能な引掛部を設けてなることを特徴とする座。
【請求項２】
拘束部が、締付紐条の引出部分同士を近接又は接触させて通過させることのできる幅を有した隙間を具備するものである請求項１記載の座。
【請求項３】
拘束部を、座本体から下方に突出させた一対の拘束爪からなるものとするとともに、これら各拘束爪を、それぞれ爪本体とこの爪本体の上端に一体に設けた支持部とを具備するものとしておき、各拘束爪の爪本体同士を互いに接触又は近接させるとともに、各支持部間に前記隙間が形成されるように構成した請求項２記載の座。
【請求項４】
引掛部が、拘束部の両側にそれぞれ配置してある請求項１、２又は３記載の座。
【請求項５】
引掛部が、座本体から下方に突出した複数の引掛爪からなり、これら各引掛爪が、拘束部からの離間距離を互いに異ならせて配置してある請求項１、２、３又は４記載の座。
【発明の詳細な説明】
【０００１】
【発明の属する技術分野】
本発明は、座本体を脱着可能な張り地により覆ってなる座に関する。
【０００２】
【従来の技術】
この種の座は、張り地のみを座本体から脱着できるようにして、張り地のクリーニングや交換を可能とし、張り地の汚れや破損、あるいは座本体の分別廃棄に好適に対応すべく図ったものである。しかして、この張り地を脱着可能とするために、ファスナや樹脂成形品等の金具や樹脂部品を張り地に縫いこんだものでは、クリーニング時にファスナ等により他の衣類を傷めてしまう場合がある。
【０００３】
そこで、このようなクリーニング時の不具合等を解消すべく、張り地の周縁部に形成した通し部に、可撓性を有した締付紐条を通すとともに、この通し部に設けた挿脱口から締付紐条の両端を引き出して、この締付紐条を緊張させることにより、前記周縁部を狭め、張り地を座本体に取付けるように構成したものも考えられている。
【０００４】
【発明が解決しようとする課題】
ところが、このようなものであると、締付紐条を挿脱口から引き出して引張るときに、締付紐条の引出部分によって、挿脱口に広げられようとする力が作用する。その結果、締付紐条を必要以上の力で引っ張ったり、経年使用したりしているうちに、この挿脱口が裂けたり破れたりして、張り地が使用できなくなってしまう場合がある。
【０００５】
【課題を解決するための手段】
そこで、本発明は、締付紐条の挿脱口における各引出部分を互いに近接又は接触させる拘束部を設けることにより、挿脱口の破損を防止し、張り地のロングライフ化を促進させるべく図ったものである。
【０００６】
【発明の実施の形態】
すなわち、本発明に係る座は、座本体と、この座本体をその裏面中央部を残して覆う張り地とを具備し、この張り地の周縁部に形成した通し部に、可撓性を有した締付紐条を通すとともに、この通し部に設けた挿脱口から締付紐条の両端を引き出して、この締付紐条を緊張させることにより、前記周縁部を狭め、張り地を座本体に取付けるように構成したものであって、この座本体の、前記挿脱口近傍部位に、締付紐条の各引出部分を互いに近接又は接触させることの可能な拘束部を設けているとともに、座本体における拘束部から離間した部位に、この拘束部を経て引き出した締付紐条を引掛けることの可能な引掛部を設けてなることを特徴とする。
【０００７】
このようなものであれば、拘束部を利用することによって、締付紐条の各引出部分を互いに近接又は接触させつつ引っ張ることができるので、これら締付紐条の引出部分が及ぼす、挿脱口を広げようとする力を軽減することができる。したがって、強く締付紐条を引っ張ったり、経年使用したりしても、通し部の挿脱口近傍が裂けたり破けたりすることを有効に防止でき、ロングライフ化にも寄与し得る。
さらに、拘束部を通過させた締付紐条を好適に座本体における拘束部から離間した部位に、この拘束部を経て引き出した締付紐条を引掛けることの可能な引掛部を設けてなるので、締付紐条の余剰部分を保持して該締付紐条の緊張状態を容易に維持できるようにすることができる。
【０００８】
簡単な構成で実現し得る拘束部の具体的実施態様としては、拘束部が、締付紐条の引出部分同士を近接又は接触させて通過させ得る幅を有した隙間を具備するものを挙げることができる。
この場合に、拘束部の隙間に締付紐条の引出部分を容易に通すことができ、しかもこの拘束部において確実に引出部分を保持させることができるようにするには、拘束部を、座本体裏面から突出させた一対の樹脂製拘束爪からなるものとするとともに、これら各拘束爪を、それぞれ爪本体とこの爪本体の上端に一体に設けた支持部とを具備するものとしておき、各拘束爪の爪本体同士を互いに接触又は近接させるとともに、支持部同士の間に前記隙間が形成されるように構成しておくことが望ましい。
【０００９】
締付紐条の余剰部分を保持して該締付紐条の緊張状態を容易に維持できるようにするための具体的な構成として、引掛部が、拘束部の両側にそれぞれ配置してあるものが挙げられる。
【００１０】
挿脱口から引き出した締付紐条の余剰部分の長短に柔軟に対応できるようにするには、引掛部が、座本体裏面から突出した複数の引掛爪からなり、これら各引掛爪が、拘束部からの離間距離を互いに異ならせて配置してあるものが好ましい。
【００１１】
【実施例】
以下、本発明の一実施例を、図１〜図６を参照して説明する。
図１は本実施例に係る椅子１０を示している。この椅子１０は、同図に示すように、例えば脚支柱３１及びこの脚支柱３１の下端から放射状に延びる脚羽根３２を具備する脚体３と、この脚体３に支持される座２及び背１とを具備するものである。
【００１２】
この座２は、座本体４と、この座本体４に取付けられた張り地５とを具備する。座本体４は、基体４bとこの基体４bの上端に配置した図示しないクッションからなるものであり、その裏面４aの中央を脚支柱３１の上端によって旋回可能に支持させている。張り地５は、図２、図３及び図４に示すように、この座本体４をその裏面４aの中央部を残して覆う例えば布製のものであり、その周縁部５aに亘って周回する袋６３を設けることにより形成した通し部６に、可撓性を有した締付紐条７を通すとともに、この通し部６における前端中央部に設けた挿脱口６１から、締付紐条７の両端を引き出して、この締付紐条７を緊張させることにより、前記周縁部５aを狭めて、座本体４に取付けられる。なお、通し部６には、前記挿脱口６１以外の複数箇所にスリット６２がそれぞれ設けてあり、このスリット６２を通過する締付紐条７を、内向き爪Ｔに引掛けることができるようにしてある。これは、不測の外力で張り地５の一部が捲れあがることなどを防止するためである。また、張り地５を取付けた座本体４には、張り地５の周縁部５aを少なくとも覆い隠すようにアウターシェル等が取付けられる。
【００１３】
しかして本実施例では、座本体４における前記挿脱口６１近傍に、締付紐条７の各引出部分７１、７２を互いに近接又は接触させることの可能な拘束部８を設けている。
この拘束部８は、図３、図４に示すように、座本体４の裏面４aに開口する凹部４cの底面から一体に垂下させた一対の樹脂製拘束爪８１からなるものであり、挿脱口６１の略上方に配置してある。そして、張り地５を座本体４に取付けた状態では、この張り地５に覆い隠されるようにしてある。
【００１４】
拘束爪８１は、その厚み方向を前後方向に一致させて配置してなる薄板状のものであり、正面視下方に向かって膨らむ略半円形状をなす爪本体８１aと、この爪本体８１aの上端における外側方寄りに設けられた支持部８１bとを具備する。そして、各爪本体８１aの対向する内側縁同士を互いに接触又は近接させるとともに、支持部８１bの内側縁間に、一定幅の隙間Sが形成されるようにしてある。この隙間Sの幅は、締付紐条７の引出部分７１、７２同士を近接又は接触させて通過させ得る寸法に設定してある。なお、この拘束爪８１の垂下寸法は、前記凹部４cの深さ寸法と略同一又はこれより若干小さく設定してある。
【００１５】
さらに本実施例では、拘束部８から所定距離離間させてその両側に引掛部９がそれぞれ配置してある。各引掛部９は、座本体４の裏面４aに開口する凹部４cの底面から一体に垂下させた一対の樹脂製引掛爪９１からなる。引掛爪９１は、支持部９１bと、この支持部９１bの先端に外側方に突出するように一体に設けた爪本体９１aとを具備する薄板状のものである。これら各引掛爪９１は、互いに平行となるように近接配置してあり、その厚み方向は前後方向に略一致させてある。さらに、各引掛爪９１の拘束部８からの離間距離は、互いに異なるようにしてある。
【００１６】
このように構成した本実施例に係る拘束部８あるいは引掛部９を利用して、締付紐条７を緊張させ、張り地５を座本体４に取付けるには、例えば以下のように行う。
まず挿脱口６１より引き出された締付紐条７の引出部分７１、７２を、それぞれ前方から後方に向かって隙間Sに通す。この際、突き合わせた拘束爪８１の爪本体８１aを弾性変形させ、あるいは締付紐条７を扁平に変形させつつ、その間から締付紐条７の引出部分７１、７２を直接隙間Sに挿入してもよい。
【００１７】
次に、この隙間Sを経て引き出された締付紐条７を、引張って緊張させつつ、引掛部９に引掛けて固定する。これには、図５、図６に示すように、締付紐条７の両端部を結んで輪状にしておき、その輪の大きさによって、締付紐条７を緊張させることのできる引掛爪９を、適宣選ぶことにより行う。もちろん、この締付紐条７を、引掛爪９に引掛けて緊張させつつ結び目を作ってもよいし、締付紐条７の余剰長さに余裕がない場合には、拘束爪８１に締付紐条７の各先端部分を巻きつけるなどして固定してもよい。しかして、このように締付紐条７を固定した状態において、締付紐条７の引出部分７１、７２は、拘束爪８１を構成する爪本体８１aの上向面８１ｃに主として引っ掛かることとなる。
【００１８】
したがって、このようなものであれば、拘束部８を利用することによって、締付紐条７の各引出部分７１、７２を、互いに近接又は接触させつつ引っ張ることができるので、これら締付紐条７の引出部分７１、７２が及ぼす、挿脱口６１を広げようとする力を軽減することができる。したがって、強く締付紐条７を引っ張ったり、経年使用したりしても、通し部６の挿脱口６１近傍が裂けたり破けたりすることを有効に防止でき、張り地５の寿命増大にも寄与し得る。
【００１９】
特に、本実施例では、拘束部８を、弾性変形可能な対をなす拘束爪８１を突き合わせて構成しているので、拘束爪８１を弾性変形させることにより、締付紐条７をその腹から、この拘束部８に形成した隙間Ｓに通すことができる。また、複数の引掛爪９１を利用して、締付紐条７の余剰長さに合わせて適宣締付紐条７を固定することができる。したがって、このような構成から、締付紐条７を緊張させて張り地５を取付ける際の作業が容易となるという効果をも奏する。
【００２０】
なお、本発明は上記実施例に限られるものではない。例えば、拘束部は、門型のものとするなどしても構わないし、その配置位置も、座の前方中央部に限られず、挿脱口を設ける部位に応じて変更可能なのはいうまでもない。また、引掛部は、要は締付紐条の端部を固定できればよいのであって、その配置位置は、拘束部の側方以外の後方等、設けるのに適した部位に設定すればよい。さらに言えば、締付紐条の固定方法も、上記実施例以外の方法で行ってもよい。
【００２１】
その他各部の具体的な構成は、上述した実施例に限定されるものではなく、本発明の趣旨を逸脱しない範囲で種々変形が可能である。
【００２２】
【発明の効果】
以上に詳述したように、本発明によれば、拘束部を利用することによって、締付紐条の各引出部分を互いに近接又は接触させつつ引っ張ることができるので、これら締付紐条の引出部分が及ぼす、挿脱口を広げようとする力を軽減することができる。したがって、強く締付紐条を引っ張ったり、経年使用したりしても、通し部の挿脱口近傍が裂けたり破けたりすることを有効に防止でき、ロングライフ化にも寄与し得る。
さらに、拘束部を通過させた締付紐条を好適に座本体における拘束部から離間した部位に、この拘束部を経て引き出した締付紐条を引掛けることの可能な引掛部を設けてなるので、締付紐条の余剰部分を保持して該締付紐条の緊張状態を容易に維持できる。
【００２３】
拘束部が、締付紐条の引出部分同士を近接又は接触させて通過させ得る幅を有した隙間を具備するものであれば、簡単な構成での実現が可能となる。
より具体的には、拘束部を、座本体裏面から突出させた一対の樹脂製拘束爪からなるものとするとともに、これら各拘束爪を、それぞれ爪本体とこの爪本体の上端に一体に設けた支持部とを具備するものとしておき、各拘束爪の爪本体同士を互いに接触又は近接させるとともに、支持部同士の間に前記隙間が形成されるように構成したものが考えられる。しかしてこのようなものであれば、拘束部の隙間に締付紐条の引出部分を容易に通すことができ、しかもこの拘束部において確実にかつ簡単に引出部分を保持させることができる。
【００２４】
特に、引掛部が、拘束部の両側にそれぞれ配置してあるものであれば、締付紐条を緊張させることが容易となる。
【００２５】
一方、引掛部が、座本体裏面から突出した複数の引掛爪からなり、これら各引掛爪が、拘束部からの離間距離を互いに異ならせて配置してあるものであれば、挿脱口から引き出した締付紐条の余剰部分の長短に柔軟に対応できる。
【図面の簡単な説明】
【図１】本発明の一実施例における椅子を示す全体斜視図。
【図２】同実施例における椅子の座の特に外周縁部を示す底面図。
【図３】同実施例における椅子の座の前縁部を示す後下方から見た部分斜視図。
【図４】同実施例における椅子の座の中央で切った概略部分縦断面図。
【図５】同実施例における締付紐条を固定した状態を示す下方から見た模式説明図。
【図６】同実施例における締付紐条を固定した状態を示す下方から見た模式説明図。
【符号の説明】
２…座
４…座本体
４ａ…裏面
５…張り地
５ａ…周縁部
６…通し部
７…締付紐条
６１…挿脱口
７１、７２…引出部分
８…拘束部
Ｓ…隙間
８１…拘束爪
８１ａ…爪本体
８１ｂ…支持部
９…引掛部
９１…引掛爪
【図１】
0003819199.tif 000002
【図２】
0003819199.tif 000003
【図３】
0003819199.tif 000004
【図４】
0003819199.tif 000005
【図５】
0003819199.tif 000006
【図６】
0003819199.tif 000007